(57)【要約】【課題】レンズ保護部材に外力が加えられても、レンズ保護部材がレンズ部を保護している状態を保持することが可能なプロジェクタを提供する。【解決手段】このプロジェクタ１は、プロジェクタ本体を構成する筐体２と、筐体２の前面部２１に設けられた投影レンズ３１と、筐体２の前面部２１に投影レンズ３１を保護する位置と投影レンズ３１を露出させる位置とに移動可能に設けられたレンズ保護部材４１と、レンズ保護部材４１を投影レンズ３１を保護する位置および投影レンズ３１を露出させる位置で付勢力により固定する１つのねじりバネ５１とを備える。【選択図】図２
2008139710.tif 000002
【特許請求の範囲】
【請求項１】
プロジェクタ本体を構成する筐体と、前記筐体の前面部に設けられたレンズ部とを備えたプロジェクタにおいて、
前記筐体の前面部に前記レンズ部を保護する第１の位置と前記レンズ部を露出させる第２の位置とに移動可能に設けられたレンズ保護部材と、
前記レンズ保護部材を前記第１の位置および前記第２の位置で付勢力により固定する１つのバネ部とを備え、
前記バネ部は、ねじりバネを含み、
前記ねじりバネの一方端は、前記レンズ保護部材側に取り付けられるとともに、
前記ねじりバネの他方端は、前記筐体の前面部側に取り付けられ、
前記レンズ保護部材をスライドさせることにより、前記ねじりバネが前記レンズ保護部材を付勢する方向が変化するように構成され、
前記レンズ保護部材の前記レンズ部側の面には、前記ねじりバネの一方端を取り付ける第１突出部が設けられるとともに、
前記筐体の前面部の裏面には、前記ねじりバネの他方端を取り付けるための第２突出部が設けられ、
前記第１突出部または前記第２突出部の少なくとも一方には、前記ねじりバネが前記第１突出部または前記第２突出部から脱落するのを防止するための抜け止め部が形成され、
前記プロジェクタ本体を構成する筐体の前面部には凹部が設けられ、
前記ねじりバネの一方端と、前記ねじりバネの他方端とは、それぞれ、前記筐体の前面部に設けられた前記凹部を介して、前記レンズ保護部材の前記レンズ部側の面と、前記筐体の前面部の裏面とに取り付けられる、プロジェクタ。
【請求項２】
プロジェクタ本体を構成する筐体と、
前記筐体の前面部に設けられたレンズ部と、
前記筐体の前面部に前記レンズ部を保護する第１の位置と前記レンズ部を露出させる第２の位置とに移動可能に設けられたレンズ保護部材と、
前記レンズ保護部材を前記第１の位置および前記第２の位置で付勢力により固定する１つのバネ部とを備える、プロジェクタ。
【請求項３】
前記バネ部は、ねじりバネを含み、
前記ねじりバネの一方端は、前記レンズ保護部材側に取り付けられるとともに、
前記ねじりバネの他方端は、前記筐体の前面部側に取り付けられ、
前記レンズ保護部材をスライドさせることにより、前記ねじりバネが前記レンズ保護部材を付勢する方向が変化するように構成されている、請求項２に記載のプロジェクタ。
【請求項４】
前記レンズ保護部材の前記レンズ部側の面には、前記ねじりバネの一方端を取り付ける第１突出部が設けられるとともに、
前記筐体の前面部の裏面には、前記ねじりバネの他方端を取り付けるための第２突出部が設けられ、
前記第１突出部または前記第２突出部の少なくとも一方には、前記ねじりバネが前記第１突出部または前記第２突出部から脱落するのを防止するための抜け止め部が形成されている、請求項３に記載のプロジェクタ。
【請求項５】
前記プロジェクタ本体を構成する筐体の前面部には凹部が設けられ、
前記ねじりバネの一方端と、前記ねじりバネの他方端とは、それぞれ、前記筐体の前面部に設けられた前記凹部を介して、前記レンズ保護部材の前記レンズ部側の面と、前記筐体の前面部の裏面とに取り付けられる、請求項３または４に記載のプロジェクタ。
【発明の詳細な説明】
【技術分野】
【０００１】
この発明は、プロジェクタに関し、特に、レンズ部を保護するレンズ保護部材を備えたプロジェクタに関する。
【背景技術】
【０００２】
従来、レンズ部を保護するレンズ保護部材を備えたプロジェクタが知られている（たとえば、特許文献１および２参照）。
【０００３】
上記特許文献１に記載のプロジェクタでは、プロジェクタ本体を構成する筐体の前面部に、レンズ部を保護するレンズ保護部材が取り付けられている。レンズ保護部材は、板状の部材からなるとともに、筐体の前面部を水平方向にスライドすることが可能なように構成されている。また、レンズ保護部材が、筐体の前面部の水平方向の一方端に位置するときは、レンズ部が露出される。また、レンズ保護部材が、筐体の前面部の水平方向の他方端に位置するときは、レンズ保護部材がレンズ部の前面部を覆うことにより、レンズ部が保護される。
【０００４】
また、上記特許文献２に記載のプロジェクタでは、レンズ部を覆う円状の前面部と、円状の前面部の外周に沿って設けられた筒状の側面部とによって構成されるレンズ保護部材が開示されている。このレンズ保護部材は、レンズ保護部材をレンズ部の正面からレンズ部の中心の軸線状に沿ってレンズ部に向かって移動させることにより、レンズ部に装着されている。また、このレンズ保護部材には、レンズ保護部材が紛失するのを抑制するためのひもが取り付けられており、このひもの一方端は、プロジェクタの筐体の前面部に設けられた留め輪に取り付けられている。
【０００５】
【特許文献１】特開２００６−２０１６４６号公報
【特許文献２】実用新案登録第３０９９６４３号公報
【発明の開示】
【発明が解決しようとする課題】
【０００６】
しかしながら、上記特許文献１に記載のプロジェクタでは、レンズ保護部材が筐体の前面部の水平方向の一方端または他方端に位置するときに、レンズ保護部材に外力が加えられると、レンズ保護部材が移動してしまい、レンズ部が露出された状態またはレンズ部が保護された状態を維持することが困難である場合があるという問題点がある。
【０００７】
また、上記特許文献２に記載のプロジェクタでは、レンズ保護部材がレンズ部に装着されているときに、レンズ保護部材に外力が加えられると、レンズ保護部材がレンズ部から脱落してしまう場合があるという問題点がある。
【０００８】
この発明は、上記のような問題を解決するためになされたものであり、この発明の１つの目的は、レンズ保護部材に外力が加えられても、レンズ保護部材がレンズ部を保護している状態を保持することが可能なプロジェクタを提供することである。
【課題を解決するための手段および発明の効果】
【０００９】
この発明の第１の局面におけるプロジェクタは、プロジェクタ本体を構成する筐体と、筐体の前面部に設けられたレンズ部とを備えたプロジェクタにおいて、筐体の前面部にレンズ部を保護する第１の位置とレンズ部を露出させる第２の位置とに移動可能に設けられたレンズ保護部材と、レンズ保護部材を第１の位置および第２の位置で付勢力により固定する１つのバネ部とを備え、バネ部は、ねじりバネを含み、ねじりバネの一方端は、レンズ保護部材側に取り付けられるとともに、ねじりバネの他方端は、筐体の前面部側に取り付けられ、レンズ保護部材をスライドさせることにより、ねじりバネがレンズ保護部材を付勢する方向が変化するように構成され、レンズ保護部材のレンズ部側の面には、ねじりバネの一方端を取り付ける第１突出部が設けられるとともに、筐体の前面部の裏面には、ねじりバネの他方端を取り付けるための第２突出部が設けられ、第１突出部または第２突出部の少なくとも一方には、ねじりバネが第１突出部または第２突出部から脱落するのを防止するための抜け止め部が形成され、プロジェクタ本体を構成する筐体の前面部には凹部が設けられ、ねじりバネの一方端と、ねじりバネの他方端とは、それぞれ、筐体の前面部に設けられた凹部を介して、レンズ保護部材のレンズ部側の面と、筐体の前面部の裏面とに取り付けられる。
【００１０】
この第１の局面によるプロジェクタでは、上記のように、筐体の前面部にレンズ部を保護する第１の位置とレンズ部を露出させる第２の位置とに移動可能に設けられたレンズ保護部材と、レンズ保護部材を第１の位置および第２の位置で付勢力により固定する１つのバネ部とを備えることによって、レンズ保護部材に外力が加えられても、バネ部の付勢力によってレンズ保護部材が第１の位置および第２の位置から移動することが抑制されるので、レンズ保護部材がレンズ部を保護している状態およびレンズ部を露出させる状態を保持することができる。また、１つのバネ部材により、レンズ保護部材を第１の位置および第２の位置の両方の位置で付勢力により固定することができるので、部品点数が増加するのを抑制しながら、レンズ保護部材がレンズ部を保護している状態およびレンズ部を露出させる状態を保持することができる。また、バネ部は、ねじりバネを含み、ねじりバネの一方端は、レンズ保護部材側に取り付けられるとともに、ねじりバネの他方端は、筐体の前面部側に取り付けられ、レンズ保護部材をスライドさせることにより、ねじりバネがレンズ保護部材を付勢する方向が変化するように構成することによって、レンズ保護部材の第１の位置および第２の位置に応じてねじりバネの付勢力によって、レンズ保護部材がレンズ部を保護する第１の位置の方向およびレンズ部を露出させる第２の位置の方向に付勢されるので、容易に、１つのねじりバネを用いて、レンズ保護部材を第１の位置および第２の位置の両方の位置で付勢することができる。
【００１１】
また、レンズ保護部材のレンズ部側の面には、ねじりバネの一方端を取り付ける第１突出部が設けられるとともに、筐体の前面部の裏面には、ねじりバネの他方端を取り付けるための第２突出部が設けられ、第１突出部または第２突出部の少なくとも一方には、ねじりバネが第１突出部または第２突出部から脱落するのを防止するための抜け止め部が形成されることによって、抜け止め部により、レンズ保護部材のレンズ部側の面に設けられた第１突出部と筐体の前面部の裏面の第２突出部とに取り付けられたねじりバネが脱落するのを防止することができる。これにより、ねじりバネに外力が加わっても、レンズ保護部材を、レンズ部を保護する第１の位置およびレンズ部を露出させる第２の位置に安定して固定させることができる。また、筐体の前面部には凹部が設けられ、ねじりバネの一方端と、ねじりバネの他方端とは、それぞれ、筐体の前面部に設けられた凹部を介して、レンズ保護部材のレンズ部側の面と、筐体の前面部の裏面とに取り付けられるように構成することによって、筐体の前面部とレンズ保護部材のレンズ部側の面との間にバネ部を取り付ける場合と異なり、第１突出部および第２突出部を筐体の前面部とレンズ保護部材との間に設ける必要が無いので、その分、筐体の前面部とレンズ保護部材との間隔を小さくすることができる。
【００１２】
この発明の第２の局面におけるプロジェクタは、プロジェクタ本体を構成する筐体と、筐体の前面部に設けられたレンズ部と、筐体の前面部にレンズ部を保護する第１の位置とレンズ部を露出させる第２の位置とに移動可能に設けられたレンズ保護部材と、レンズ保護部材を第１の位置および第２の位置で付勢力により固定する１つのバネ部とを備える。
【００１３】
この第２の局面によるプロジェクタでは、上記のように、筐体の前面部にレンズ部を保護する第１の位置とレンズ部を露出させる第２の位置とに移動可能に設けられたレンズ保護部材と、レンズ保護部材を第１の位置および第２の位置で付勢力により固定する１つのバネ部とを備えることによって、レンズ保護部材に外力が加えられても、バネ部の付勢力によってレンズ保護部材が第１の位置および第２の位置から移動することが抑制されるので、レンズ保護部材がレンズ部を保護している状態およびレンズ部を露出させる状態を保持することができる。また、１つのバネ部材により、レンズ保護部材を第１の位置および第２の位置の両方の位置で付勢力により固定することができるので、部品点数が増加するのを抑制しながら、レンズ保護部材がレンズ部を保護している状態およびレンズ部を露出させる状態を保持することができる。
【００１４】
上記第２の局面によるプロジェクタにおいて、好ましくは、バネ部は、ねじりバネを含み、ねじりバネの一方端は、レンズ保護部材側に取り付けられるとともに、ねじりバネの他方端は、筐体の前面部側に取り付けられ、レンズ保護部材をスライドさせることにより、ねじりバネがレンズ保護部材を付勢する方向が変化するように構成されている。このように構成すれば、レンズ保護部材の第１の位置および第２の位置に応じてねじりバネの付勢力によって、レンズ保護部材がレンズ部を保護する第１の位置の方向およびレンズ部を露出させる第２の位置の方向に付勢されるので、容易に、１つのねじりバネを用いて、レンズ保護部材を第１の位置および第２の位置の両方の位置で付勢することができる。
【００１５】
この場合、好ましくは、レンズ保護部材のレンズ部側の面には、ねじりバネの一方端を取り付ける第１突出部が設けられるとともに、筐体の前面部の裏面には、ねじりバネの他方端を取り付けるための第２突出部が設けられ、第１突出部または第２突出部の少なくとも一方には、ねじりバネが第１突出部または第２突出部から脱落するのを防止するための抜け止め部が形成されている。このように構成すれば、抜け止め部により、レンズ保護部材のレンズ部側の面に設けられた第１突出部と筐体の前面部の裏面の第２突出部とに取り付けられたねじりバネが脱落するのを防止することができる。これにより、ねじりバネに外力が加わっても、レンズ保護部材を、レンズ部を保護する第１の位置およびレンズ部を露出させる第２の位置に安定して固定させることができる。
【００１６】
ねじりバネによって付勢されるレンズ保護部材を備えるプロジェクタにおいて、好ましくは、筐体の前面部には凹部が設けられ、ねじりバネの一方端と、ねじりバネの他方端とは、それぞれ、筐体の前面部に設けられた凹部を介して、レンズ保護部材のレンズ部側の面と、筐体の前面部の裏面とに取り付けられる。このように構成すれば、筐体の前面部とレンズ保護部材のレンズ部側の面との間にバネ部を取り付ける場合と異なり、第１突出部および第２突出部を筐体の前面部とレンズ保護部材との間に設ける必要が無いので、その分、筐体の前面部とレンズ保護部材との間隔を小さくすることができる。
【発明を実施するための最良の形態】
【００１７】
以下、本発明の実施形態を図面に基づいて説明する。
【００１８】
図１は、本発明の一実施形態によるレンズ部が露出された状態のプロジェクタの全体構成を示した斜視図である。図２は、本発明の一実施形態によるレンズ保護部材によってレンズ部が保護された状態のプロジェクタの全体構成を示した斜視図である。図３は、本発明の一実施形態によるプロジェクタの正面図である。図４〜図１１は、本発明の一実施形態によるプロジェクタ本体を構成する筐体にレンズ保護部材が取り付けられたときの構造を説明するための図である。まず、図１〜図１１を参照して、本発明の一実施形態によるプロジェクタ１を構成する筐体２にレンズ保護部材４１が取り付けられたときの構造について説明する。
【００１９】
本発明の一実施形態によるプロジェクタ１は、図１および図２に示すように、筐体２と、筐体２の前面部２１に挿入される投影レンズ３１と、筐体２の前面部２１に取り付けられるレンズ保護部材４１と、筐体２の前面部２１とレンズ保護部材４１とに取り付けられるねじりバネ５１とを含んでいる。なお、投影レンズ３１は、本発明の「レンズ部」の一例である。以下、詳細に説明する。
【００２０】
図１〜図３に示すように、筐体２の前面部２１には、レンズ挿入部２２が設けられ、レンズ挿入部２２には、映像を投影するための投影レンズ３１が挿入されている。なお、図４および図５に示すように、投影レンズ３１は、筐体２の前面部２１から突出しないように配置されている。
【００２１】
ここで、本実施形態では、図１〜図３に示すように、平板状のレンズ保護部材４１が、前面部２１に設けられた溝部２３に矢印Ｘ１および矢印Ｘ２方向にスライド移動可能に嵌め込まれている。また、図４、図６および図７に示すように、レンズ保護部材４１の投影レンズ３１側の面４１ａの矢印Ｘ２方向側の端部の近傍には、Ｌ字状の突出部４２が一体的に設けられている。なお、突出部４２は、本発明の「第１突出部」の一例である。また、突出部４２の端部は、図４および図６に示すように、前面部２１の穴部２１ｂを介して筐体２の前面部２１の裏面２１ａ側に突出するように配置されている。また、本実施形態では、図７に示すように、突出部４２には、後述するねじりバネ５１の一方端５１ａが取り付けられており、突出部４２の端部には、突出部４２からねじりバネ５１が脱落するのを防止するための抜け止め部４２ａが一体的に形成されている。
【００２２】
また、本実施形態では、図１、図２、図４、図５および図８に示すように、筐体２の前面部２１には、複数の壁に囲まれるような箱状の凹部２４が設けられている。凹部２４は、筐体２１の前面部２１に長方形の穴部２１ｂを開口した後に、図９に示す、複数の壁に囲まれる箱状の凹部２４を筐体２の前面部２１の裏面２１ａから、筐体２の前面部２１に設けられた長方形の穴部２１ｂの角部２１１ｂに凹部２４の角部２４ａを合わせるように、凹部２４を筐体２の前面部２１の裏面２１ａに貼り合わせることにより形成される。
【００２３】
また、図９に示すように、凹部２４には、筐体２の上面側を仕切る壁部２４ｂと、筐体２の前面の左方面側を仕切る壁部２４ｃと、筐体２の奥行き側を仕切る壁部２４ｄと、筐体２の下面側を仕切る壁部２４ｅとによって構成されている。また、筐体２の上面側を仕切る壁部２４ｂは、後述するねじりバネ５１の動作を妨げないように、凹部２４の筐体２の上面側の一部分のみを覆うように形成されている。また、筐体２の奥行き側を仕切る壁部２４ｄは、後述するねじりバネ５１が筐体２の奥行き側に移動するのを抑制するように、凹部２４の筐体２の奥行き側の全面を覆うように形成されている。また、筐体２の下面側を仕切る壁部２４ｅは、筐体２の前面部２１とレンズ保護部材４１とを後述するねじりバネ５１により接続するのを妨げないように、凹部２４の筐体２の下面側の一部分のみを覆うように形成されている。また、レンズ保護部材４１がスライドすることに伴って、レンズ保護部材４１の投影レンズ３１側の面４１ａに設けられた突出部４２がスライドするのを妨げないように、凹部２４の筐体２の右方側には、壁部は形成されていない。
【００２４】
また、図５および図１０に示すように、筐体２の前面部２１の裏面２１ａには、ねじりバネ５１の他方端５１ｂを取り付けるための円柱状の突出部２５が凹部２４の壁部２４ｅ（図３参照）と筐体２の下面側との間に設けられている。なお、突出部２５は、本発明の「第２突出部」の一例である。また、突出部２５の端部には、突出部４２のように突出部２５からねじりバネ５１が脱落するのを防止するための抜け止め部は形成されていない。
【００２５】
また、図１〜図５に示すように、筐体２の前面部２１とレンズ保護部材４１とは、図１１に示すねじりバネ５１を介して接続されている。このねじりバネ５１の一方端５１ａと他方端５１ｂとは、それぞれ、レンズ保護部材４１の投影レンズ３１側の面４１ａに設けられた突出部４２（図７参照）と、筐体２の前面部２１の裏面２１ａに設けられた突出部２５（図１０参照）とに、回転可能に取り付けられるように、円状に少なくとも１周以上巻かれている。また、ねじりバネ５１の中央部５１ｃは、ねじりバネ５１の中央部５１ｃを支点として、ねじりバネ５１の一方端５１ａと他方端５１ｂとが開く方向または閉じる方向に付勢力を有するように、円状に少なくとも１周以上巻かれている。
【００２６】
次に、図３〜図５、図６、図７および図１０を参照して、本発明の一実施形態による筐体とレンズ保護部材とにねじりバネを取り付ける手順について説明する。
【００２７】
まず、図４〜図６に示すように、レンズ保護部材４１の投影レンズ３１側の面４１ａに設けられた突出部４２が、筐体２の前面部２１の穴部２１ｂ（図３参照）に貫通するように、レンズ保護部材４１が配置される。次に、図７に示すように、ねじりバネ５１の一方端５１ａが、レンズ保護部材４１の投影レンズ３１側の面４１ａに設けられた突出部４２に、円状の一方端５１ａを回転可能に巻きつけるように取り付けられる。
【００２８】
次に、図４および図５に示すように、ねじりバネ５１の他方端５１ｂが、凹部２４の筐体２の下面側の壁部２４ｅが形成されていない穴部２４ｆを介して、図１０に示す筐体２の前面部２１の裏面２１ａに設けられた突出部２５に、円状の他方端５１ｂを回転可能に巻きつけるように取り付けられる。このとき、ねじりバネ５１は、筐体２の前面部２１に対して水平になるように取り付けられる。また、ねじりバネ５１の中央部５１ｃは、固定されずに移動可能な状態になっている。
【００２９】
図１２〜図１８は、本発明の一実施形態によるレンズ保護部材が筐体の前面部上をスライドしているときのレンズ保護部材およびねじりバネの状態を表す図である。次に、図３および図１１〜図１８を参照して、本発明の一実施形態による筐体２の前面部２１上をスライドするレンズ保護部材４１の動作と、ねじりバネ５１がレンズ保護部材４１を付勢する動作とについて説明する。
【００３０】
まず、図３に示すレンズ保護部材４１によって投影レンズ３１が保護された状態において、ねじりバネ５１の一方端５１ａと他方端５１ｂとが、図１１に示すねじりバネ５１の一方端５１ａおよび他方端５１ｂに外力が加わらない状態におけるねじりバネ５１の一方端５１ａと他方端５１ｂとの間の角度αより小さな角度βに維持されるように、レンズ保護部材４１の投影レンズ３１側の面４１ａに設けられた突出部４２および筐体２の前面部２１の裏面２１ａに設けられた突出部２５が配置されている。この状態において、ねじりバネ５１は、ねじりバネ５１の一方端５１ａと他方端５１ｂとが広がる方向に付勢力を有するので、レンズ保護部材４１は、矢印Ｘ１方向に付勢されている。
【００３１】
次に、図１２に示すように、手動により、レンズ保護部材４１を矢印Ｘ２方向に移動させたときには、ねじりバネ５１の一方端５１ａおよび他方端５１ｂが、それぞれ、レンズ保護部材４１の投影レンズ３１側の面４１ａに設けられた突出部４２および筐体２の前面部２１の裏面２１ａに設けられた突出部２５を中心に回動し滑りながら、ねじりバネ５１は、位置が固定された突出部２５を中心にして矢印Ｘ２方向に回転する。この状態において、ねじりバネ５１は、図３に示した場合と同様に、ねじりバネ５１の一方端５１ａと他方端５１ｂとが広がる方向に付勢力を有するので、レンズ保護部材４１は、矢印Ｘ１方向に付勢される。また、図１３に示すように、レンズ保護部材４１の投影レンズ３１側の面４１ａに設けられた突出部４２は、凹部２４の筐体２の奥行き側を仕切る壁部２４ｄおよび筐体２の下面側を仕切る壁部２４ｅに沿うように、矢印Ｘ２方向（図１２参照）に移動する。
【００３２】
次に、図１４に示すように、レンズ保護部材４１を図１２に示した状態よりも、さらに矢印Ｘ２方向に移動させて、ねじりバネ５１の一方端５１ａおよび他方端５１ｂが、凹部２４の筐体２の下面側を仕切る壁部２４ｅを挟んで対向した状態となったとき、レンズ保護部材４１は、筐体２の上面側に付勢される。つまり、ねじりバネ５１は、筐体２の上面側および下面側に付勢力を有する。このとき、レンズ保護部材４１は、矢印Ｘ１方向にも矢印Ｘ２方向にも付勢されない。
【００３３】
次に、図１５に示すように、レンズ保護部材４１を図１４に示した状態よりも、さらに矢印Ｘ２方向に移動させて、ねじりバネ５１の中央部５１ｃが、凹部２４よりも筐体２の下面側に位置する状態となったとき、レンズ保護部材４１は、図１２に示す状態とは異なり、矢印Ｘ２方向に付勢される。つまり、ねじりバネ５１の付勢力の方向は、図１４に示す状態を境にして、矢印Ｘ１方向から矢印Ｘ２方向に変化する。
【００３４】
次に、図１６に示すレンズ保護部材４１を図１５に示した状態よりも、さらに矢印Ｘ２方向に移動させた状態を経て、図１７に示す投影レンズ３１が露出されるとともに、レンズ保護部材４１が固定された状態になる。また、レンズ保護部材４１がスライドしているときには、図１８に示すように、レンズ保護部材４１の投影レンズ３１側の面４１ａに設けられた突出部４２は、凹部２４の筐体２の上面側を仕切る壁部２４ｂおよび筐体２の奥行き側を仕切る壁部２４ｄに沿うように、矢印Ｘ２方向に移動する。レンズ保護部材４１が固定された状態において、図１７に示すねじりバネ５１の一方端５１ａと他方端５１ｂとの間の角度γは、図１１に示すねじりバネ５１の一方端５１ａと他方端５１ｂとの間の角度αよりも小さくなっており、ねじりバネ５１は、ねじりバネ５１の一方端５１ａと他方端５１ｂが広がる方向に付勢力を有するので、レンズ保護部材４１は、矢印Ｘ２方向に付勢されている。
【００３５】
本実施形態では、上記のように、筐体２の前面部２１に投影レンズ３１を保護する位置と投影レンズ３１を露出させる位置とに移動可能に設けられたレンズ保護部材４１と、レンズ保護部材４１を、投影レンズ３１を保護する位置および投影レンズ３１を露出させる位置で付勢力により固定するねじりバネ５１とを備えることによって、レンズ保護部材４１に外力が加えられても、ねじりバネ５１の付勢力によってレンズ保護部材４１が投影レンズ３１を保護する位置および投影レンズ３１を露出させる位置から移動することが抑制されるので、レンズ保護部材４１が投影レンズ３１を保護している状態および投影レンズ３１を露出させる状態を保持することができる。また、１つのねじりバネ５１により、レンズ保護部材４１を投影レンズ３１を保護する位置および投影レンズ３１を露出させる位置の両方の位置で付勢力により固定することができるので、部品点数が増加するのを抑制しながら、レンズ保護部材４１が投影レンズ３１を保護している状態および投影レンズ３１を露出させる状態を保持することができる。
【００３６】
また、本実施形態では、上記のように、ねじりバネ５１の一方端５１ａは、レンズ保護部材４１側に取り付けられるとともに、ねじりバネ５１の他方端５１ｂは、筐体２の前面部２１の裏面２１ａに取り付けられ、レンズ保護部材４１をスライドさせることにより、ねじりバネ５１がレンズ保護部材４１を付勢する方向が変化するように構成することによって、レンズ保護部材４１の投影レンズ３１を保護する位置および投影レンズ３１を露出させる位置に応じてねじりバネ５１の付勢力によって、レンズ保護部材４１は、投影レンズ３１を保護する位置の方向および投影レンズ３１を露出させる位置の方向に付勢されるので、容易に、１つのねじりバネ５１を用いて、レンズ保護部材４１を投影レンズ３１を保護する位置および投影レンズ３１を露出させる位置の両方の位置で付勢することができる。
【００３７】
また、本実施形態では、上記のように、レンズ保護部材４１の投影レンズ３１側の面４１ａには、ねじりバネ５１の一方端５１ａを取り付ける突出部４２が設けられるとともに、筐体２の前面部２１の裏面２１ａには、ねじりバネ５１の他方端５１ｂを取り付けるための突出部２５が設けられ、突出部４２には、ねじりバネ５１が突出部４２から脱落するのを防止するための抜け止め部４２ａが形成されることによって、抜け止め部４２ａにより、レンズ保護部材４１の投影レンズ３１側の面４１ａに設けられた突出部４２と筐体２の前面部２１の裏面２１ａの突出部２５とに取り付けられたねじりバネ５１が脱落するのを防止することができる。これにより、ねじりバネ５１に外力が加わっても、レンズ保護部材４１を、投影レンズ３１を保護する位置および投影レンズ３１を露出させる位置に安定して固定させることができる。
【００３８】
また、本実施形態では、上記のように、筐体２の前面部２１には凹部２４が設けられ、ねじりバネ５１の一方端５１ａと、ねじりバネ５１の他方端５１ｂとは、それぞれ、筐体２の前面部２１に設けられた凹部２４の穴部２４ｆを介して、レンズ保護部材４１の投影レンズ３１側の面４１ａと、筐体２の前面部２１の裏面２１ａとに取り付けられるように構成することによって、筐体２の前面部２１とレンズ保護部材４１の投影レンズ３１側の面４１ａとの間にねじりバネ５１を取り付ける場合と異なり、突出部２５および突出部４２を筐体２の前面部２１とレンズ保護部材４１との間に設ける必要が無いので、その分、筐体２の前面部２１とレンズ保護部材４１との間隔を小さくすることができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、レンズ保護部材４１の投影レンズ３１側の面４１ａに設けられた突出部４２に抜け止め部４２ａが形成される例を示したが、本発明はこれに限らず、筐体２の前面部２１の裏面２１ａに設けられる突出部２５に抜け止め部を形成してもよい。また、突出部２５および突出部４２の両方に抜け止め部を形成してもよい。
【００４１】
また、上記実施形態では、平板状のレンズ保護部材４１を用いる例を示したが、本発明はこれに限らず、筐体２の前面部２１の前方側に凸状に膨らんだ形状にしてもよい。これにより、投影レンズ３１が筐体２の前面部２１から突出していても、レンズ保護部材４１をスライドさせることが可能となる。
【００４２】
また、上記実施形態では、ねじりバネ５１を用いてレンズ保護部材４１を付勢する例を示したが、本発明はこれに限らず、レンズ保護部材４１を投影レンズ３１を保護する位置および投影レンズ３１を露出させる位置に付勢することができれば、ねじりバネ５１以外のバネを用いてもよい。たとえば板バネを用いてもよい。
【図面の簡単な説明】
【００４３】
【図１】本発明の一実施形態によるレンズ部が露出された状態のプロジェクタの全体構成を示した斜視図である。
【図２】本発明の一実施形態によるレンズ保護部材によってレンズ部が保護された状態のプロジェクタの全体構成を示した斜視図である。
【図３】本発明の一実施形態によるプロジェクタの正面図である。
【図４】図３の１００−１００線に沿った断面図である。
【図５】図３の２００−２００線に沿った断面図である。
【図６】図３の３００−３００線に沿った断面図である。
【図７】本発明の一実施形態によるレンズ保護部材の投影レンズ側の面に設けられた突出部の斜視図である。
【図８】本発明の一実施形態による筐体の前面部に設けられた凹部の斜視図である。
【図９】本発明の一実施形態による筐体の前面部に設けられた凹部を構成する壁部の斜視図である。
【図１０】本発明の一実施形態による筐体の前面部の裏面に設けられた突出部の斜視図である。
【図１１】本発明の一実施形態によるねじりバネの斜視図である。
【図１２】本発明の一実施形態によるレンズ保護部材が筐体の前面部上をスライドしているときのレンズ保護部材およびねじりバネの状態を表す図である。
【図１３】図１２の４００−４００線に沿った断面図である。
【図１４】本発明の一実施形態によるレンズ保護部材が筐体の前面部上をスライドしているときのレンズ保護部材およびねじりバネの状態を表す図である。
【図１５】本発明の一実施形態によるレンズ保護部材が筐体の前面部上をスライドしているときのレンズ保護部材およびねじりバネの状態を表す図である。
【図１６】本発明の一実施形態によるレンズ保護部材が筐体の前面部上をスライドしているときのレンズ保護部材およびねじりバネの状態を表す図である。
【図１７】本発明の一実施形態によるレンズ保護部材が筐体の前面部上をスライドしているときのレンズ保護部材およびねじりバネの状態を表す図である。
【図１８】図１７の５００−５００線に沿った断面図である。
【符号の説明】
【００４４】
２  筐体
２１  前面部
２４  凹部
２５  突出部（第２突出部）
３１  投影レンズ（レンズ部）
４１  レンズ保護部材
４２  突出部（第１突出部）
４２ａ  抜け止め部
５１  ねじりバネ（バネ部）
５１ａ  一方端
５１ｂ  他方端
【図１】
2008139710.tif 000003
【図２】
2008139710.tif 000004
【図３】
2008139710.tif 000005
【図４】
2008139710.tif 000006
【図５】
2008139710.tif 000007
【図６】
2008139710.tif 000008
【図７】
2008139710.tif 000009
【図８】
2008139710.tif 000010
【図９】
2008139710.tif 000011
【図１０】
2008139710.tif 000012
【図１１】
2008139710.tif 000013
【図１２】
2008139710.tif 000014
【図１３】
2008139710.tif 000015
【図１４】
2008139710.tif 000016
【図１５】
2008139710.tif 000017
【図１６】
2008139710.tif 000018
【図１７】
2008139710.tif 000019
【図１８】
2008139710.tif 000020